(57)【要約】      （修正有）【課題】流し読み原稿読取時の黒筋の発生を防ぐ。【解決手段】搬送中の原稿の読取中に、光源ユニット２３を移動させることによって、位置ＡとＢとの間で、読取位置を副走査方向に同一速度で移動させる。このように読取位置を移動させることによって、黒筋の発生を防止、低減することができる。隣り合う原稿については互いに逆方向に読み取り位置を移動させる。発生する倍率差を補正する変倍部を備える。ユーザの手の届かないところを移動させることで安全性も高い。【選択図】図３
2009267499.tif 000002
【特許請求の範囲】
【請求項１】
読取位置において主走査ライン上の画像データを取得する読取部と、
上記読取部を主走査ラインに直交する副走査方向に平行な方向に移動させる読取位置移動部と、
原稿束中の原稿を１枚ずつ上記副走査方向に移動させる原稿搬送部と、
搬送中の上記原稿の画像データを取得中、上記読取位置移動部によって、上記読取部を副走査方向に平行な方向に移動させる読取位置制御部と、
を備える画像読取装置。
【請求項２】
上記読取位置制御部は、１枚の原稿についての画像データの取得中は、上記読取位置を同一速度で移動させるようになっている、
請求項１に記載の画像読取装置。
【請求項３】
上記読取位置制御部は、複数の連続する原稿に対して、同一方向に上記読取位置を移動させるようになっている、
請求項１又は２に記載の画像読取装置。
【請求項４】
上記読取位置制御部は、複数の連続する原稿のうち、互いに隣り合う原稿の一方については上記読取位置を上記搬送方向に対して正方向に移動させ、他方については逆方向に移動させるようになっている、
請求項１又は２に記載の画像読取装置。
【請求項５】
上記一方の原稿から得られた画像を上記搬送方向において縮小する縮小部をさらに備える、
請求項４に記載の画像読取装置。
【請求項６】
上記他方の原稿から得られた画像を上記搬送方向において拡大する拡大部をさらに備える、
請求項４又は５に記載の画像読取装置。
【発明の詳細な説明】
【技術分野】
【０００１】
本発明は、原稿上の画像から画像データを取得する画像読取装置に関する。
【背景技術】
【０００２】
従来、自動原稿搬送機構を備える画像読取装置において、コンタクトガラスの異物（汚れやゴミ）により、画像データに黒筋が含まれることがある。この黒筋発生を防止するために、これまで種々の提案がなされている。
【０００３】
例えば特許文献１では、原稿を搬送しつつコンタクトガラスを移動させている。
【特許文献１】特開２００１‐２７２８２９号公報（２００１年１０月５日公開）
【発明の開示】
【発明が解決しようとする課題】
【０００４】
しかしながら、特許文献１において、コンタクトガラスは装置の外側に露出しており、ユーザが触れることのできる部材であるため、コンタクトガラスを移動させることには安全面で問題がある。
【０００５】
本発明は、これら従来の課題に鑑み、より安全に、黒筋発生を防止することのできる技術を提供することを目的とする。
【課題を解決するための手段】
【０００６】
上記課題を解決するために、請求項１の画像読取装置は、読取位置において主走査ライン上の画像データを取得する読取部と、上記読取部を主走査ラインに直交する副走査方向に平行な方向に移動させる読取位置移動部と、上記副走査方向に、原稿束中の原稿を１枚ずつ移動させる原稿搬送部と、搬送中の上記原稿の画像データを取得中、上記読取位置移動部によって、上記読取部を副走査方向に平行な方向に移動させる読取位置制御部と、を備える。
【０００７】
このように、搬送中の原稿読取中に、読取位置を移動させることによって、黒筋の発生が抑えられると共に、黒筋の長さを短くすることができる。また、読取部を移動させることで読取位置を移動させており、ユーザの手が触れる部材を移動させずに済むので、安全性が高い。
【０００８】
また、請求項２に記載するように、請求項１の画像読取装置において、上記読取位置制御部は、１枚の原稿についての画像データの取得中は、上記読取位置を同一速度で移動させるようになっていてもよい。
【０００９】
また、請求項３に記載するように、請求項１又は２の画像読取装置において、上記読取位置制御部は、複数の連続する原稿に対して、同一方向に上記読取位置を移動させるようになっていてもよい。
【００１０】
また、請求項４に記載するように、請求項１又は２の画像読取装置において、上記読取位置制御部は、複数の連続する原稿のうち、互いに隣り合う原稿の一方については上記読取位置を上記搬送方向に対して正方向に移動させ、他方については、逆方向に移動させるようになっていてもよい。
【００１１】
また、請求項５に記載するように、請求項４の画像読取装置は、上記一方の原稿から得られた画像を上記搬送方向において縮小する縮小部をさらに備えてもよい。
【００１２】
また、請求項６に記載するように、請求項４又は５の画像読取装置は、上記他方の原稿から得られた画像を上記搬送方向において拡大する拡大部をさらに備えてもよい。
【発明の効果】
【００１３】
本発明の画像読取装置は、搬送中の原稿読取中に、読取位置を移動させることによって、黒筋の発生が抑えられると共に、黒筋の長さを短くすることができる。また、読取部を移動させることで読取位置を移動させており、ユーザの手が触れる部材を移動させずに済むので、安全性が高い。
【発明を実施するための最良の形態】
【００１４】
〔第１実施形態〕
（１）画像読取装置１の構成
図１及び図２を参照して、本発明の実施の一形態である画像読取装置１の構成について説明する。図１は画像読取装置１の要部構成を示す正面図であり、図２は画像読取装置１の要部構成を示すブロック図である。
【００１５】
図１に示すように、画像読取装置１は、本体部２と、原稿搬送装置３とを備える。
【００１６】
本体部２は、画像読取部２０、ＤＦ（Document Feeder）用コンタクトガラス２１、フラットベッド用コンタクトガラス２２を備える。
【００１７】
原稿搬送装置３は、本体部２の上方に、本体部２に対して開閉可能に装着される。原稿搬送装置３は、原稿載置トレイ３１、原稿排出トレイ３２、及び原稿搬送部３３を備える。原稿搬送部３３は、原稿載置トレイ３１上の原稿束から原稿Ｍを１枚ずつ引き出す給紙ローラ３３ａ、原稿Ｍを搬送する搬送ローラ３３ｂ、搬送中の原稿ＭをＤＦ用コンタクトガラス２１上に導く搬送ガイド３３ｃ、読取後の原稿Ｍを排紙トレイ３２に排出する排出ローラ３３ｄを備える。ＤＦ用コンタクトガラス２１上で、原稿Ｍは、後述の主走査方向に垂直な方向（副走査方向）に搬送される。
【００１８】
本体部２のＤＦ用コンタクトガラス２１及びフラットベッド用コンタクトガラス２２は、透明のガラス板であり、原稿搬送装置３との対向面に配置される。
【００１９】
画像読取部２０は、光源ユニット２３、ミラー群２４、レンズ２５、及びイメージセンサ２６を備える。
【００２０】
光源ユニット２３は、光源と、光源からの光をコンタクトガラス２１・２２へと導くミラー等の光学部材を備える。光源ユニット２３は、光源からの光によって、ＤＦ用コンタクトガラス２１上を通過する原稿Ｍ、及びフラットベッド用コンタクトガラス２２上に載置された原稿Ｍを、照明することができる。
【００２１】
ミラー群２４は、原稿Ｍからの反射光をレンズ２５に導くように配置され、レンズ２５はミラー群２４からの光をイメージセンサ２６に導くように配置される。光源ユニット２３からイメージセンサ２６に至る光路を点線で示す。ミラー群２４等の光学部材は、光源ユニット２３からの光によって、原稿Ｍを主走査方向に１ラインずつ走査することができる。
【００２２】
イメージセンサ２６は、原稿Ｍからの反射光をアナログの電気信号に変換することで、１走査ラインずつ、画像データを取得することができる。イメージセンサ２６としては、ＣＣＤ、ＣＭＯＳ等、従来公知のイメージセンサを好適に用いることができる。
【００２３】
イメージセンサ２６により画像が読み取られる位置、つまり、光源ユニット２３からの光により照射される位置を、以下、「読取位置」と称する。
【００２４】
光源ユニット２３及びミラー群２４は、後述の読取位置移動部７１によって、原稿の搬送方向（副走査方向）に平行に移動可能である。
【００２５】
図２に示すように、画像読取装置１はさらに、Ａ／Ｄ変換部４１、画像処理回路４２、読取位置移動部７１、原稿搬送駆動部７２、表示部７３、ＩＦ７４、ＣＰＵ（Central Processing Unit）８１、ＲＯＭ（Read Only Memory）８２、ＲＡＭ（Random Access Memory）８３等を備える。
【００２６】
Ａ／Ｄ変換部４１は、イメージセンサ２６によりアナログの電気信号に変換された１走査ライン分の画像データを、さらにデジタルの多値データに変換し、画像処理回路４２に出力する。
【００２７】
画像処理回路４２は、デジタルの多値データに変換された画像データに、各種画像処理を行う。画像処理回路４２は、デジタルズーム処理部４２１を備える。デジタルズーム処理部４２１は、画像データをデジタル処理により拡大／縮小することができる。
【００２８】
読取位置移動部７１は、モータやギア等を備え、光源２３及びミラー群２４を移動させることで、フラットベッド用コンタクトガラス２２の静止原稿の副走査方向における走査を行ったり、原稿搬送中に、読み取り位置を調整したりすることができる。
【００２９】
原稿搬送駆動部７２は、原稿搬送部３３の各種ローラ等を駆動して、原稿搬送を行うことができる。
【００３０】
表示部７３は、液晶表示パネル等を備え、ユーザに各種画像を提示することができる。
【００３１】
ＩＦ７４は、画像データを図示しない印刷装置、又はその他の外部装置に送信することができる。
【００３２】
ＣＰＵ８１は、画像読取装置１内の各部の動作を制御する制御装置として機能する。ＣＰＵ８１は、ＲＯＭ８２内のプログラムを読み出して実行することで、制御装置としての種々の機能を実現する。ＲＡＭ８３は、ＣＰＵ８１の作業領域として機能する。特にＣＰＵ８１は、読取位置移動部７１によって、搬送中の原稿Ｍに対する読取位置を変更することができる。詳細は次欄に述べる
（２）読取位置制御
図３をさらに参照して、原稿読取中の読取位置制御について説明する。
【００３３】
図３に示すように、原稿搬送装置３により搬送中の原稿Ｍ上の画像を、ＤＦ用コンタクトガラス２１を介して読み取る場合、ＣＰＵ８１は、読取中つまり原稿がＤＦ用コンタクトガラス２１上を通過中に、読取位置移動部７１によって光源ユニット２３を副走査方向に移動させることができる。光源ユニット２３が移動されることによって、読取位置が移動する。なお、光源ユニット２３の移動に伴って、イメージセンサ２６に反射光が入射するように、ミラー群２４も併せて移動される。
【００３４】
こうして、原稿読取中に読取位置が副走査方向に移動されることによって、コンタクトガラス２１上の異物等による筋発生を防いだり、筋の長さを低減したりすることができる。
【００３５】
また、フラットベッド用コンタクトガラス２２を介した読取時にも用いられる読取位置移動部を用いるので、新たに複雑な構成を必要としないという利点もある。
【００３６】
読取位置の移動速度は特に限定されないが、一定であることで、得られる画像データの副走査方向における倍率が、１枚の原稿中で一定となる。
【００３７】
読取位置制御の具体例を、以下に２つ挙げる。
【００３８】
（ａ）例１
図３に示すように、副走査方向における読取位置の可動範囲が、位置Ａから位置Ｂまでであるとする。本例では、図３の（ａ）に示すように、原稿読取中は原稿搬送方向に沿って読取位置をＡからＢへ向けて移動させ、原稿非読取時に、読取位置をＡに戻すようになっている。
【００３９】
複数の原稿を連続して読み取るときは、複数の原稿を読み取る間、読取位置をＡからＢに向けて移動させてもよいし、１枚の原稿を読み取る間に読取位置をＡからＢに向けて移動させ、次の原稿を読む前に読取位置をＡに戻してもよい。
【００４０】
前者、つまり複数の原稿を読み取る間に読取位置をＡに戻すことなくＢに向けて移動し続ける場合、原稿と原稿との間で読取位置を位置Ａに戻す時間が必要ないので、全ての原稿を読み終わるまでの時間が比較的短くて済む。
【００４１】
また、後者、つまり１枚読む毎に読取位置をＡに戻す場合は、１枚の原稿が通過する間に読取位置を全可動範囲（ＡからＢまで）に渡って移動させることができるので、読取位置の移動速度を比較的大きくすることができる。その結果、黒筋をより短くすることができる。
【００４２】
いずれの場合であっても、読取位置を移動させることで、読取位置を静止させているときと比較して、原稿読取位置に対する原稿の相対的な移動速度が変化する。よって、原稿搬送速度及び主走査方向の走査速度を読取位置が静止している状態と同じとすると、同一の原稿であっても、得られる画像は副走査方向において大きくなる。
【００４３】
そこで、主走査及び副走査のタイミング、つまり主走査方向の走査速度及び原稿搬送速度を適宜調整することで、等倍の画像データを得ることができる。例えば、主走査方向の走査速度を読取位置が静止している場合と同一にするのであれば、原稿搬送速度と読取位置の移動速度との差分が、読取位置が静止しているときと同等になるように、原稿搬送速度を速めてもよい。また、原稿搬送速度を読取位置が静止している場合と同一にするのであれば、主走査方向の走査速度を遅くしてもよい。また、原稿搬送速度と主走査方向の走査速度の両方を調整してもよい。
【００４４】
（ｂ）例２
他の例として、図３の（ｂ）に示すように、奇数頁の原稿と偶数頁の原稿とで、読取位置の移動方向を変えてもよい。本例では、奇数頁では原稿搬送方向と同方向、つまり位置ＡからＢに向けて読取位置を移動させ、偶数頁では逆方向、つまり位置ＢからＡに向けて読取位置を移動させている。奇数頁と偶数頁とで、移動速度の絶対値は同一であってもよいし、異なっていてもよい。
【００４５】
この場合、奇数頁と偶数頁とで、読取位置に対する原稿の相対的な移動速度が異なるので、奇数頁と偶数頁とでは副走査方向の倍率が異なる画像データが得られることになる。
【００４６】
そこで、等倍の画像が得られるように、デジタルズーム処理部４２１によるデジタルズーム処理を行う。デジタルズーム処理を利用することで、奇数頁と偶数頁とで原稿搬送速度又は主走査方向の走査速度を切り替えるよりも、制御及び装置を構成することが容易となる。
【００４７】
例えば、読取位置が固定されており、原稿搬送速度がＶであるときの画像を基準とし、奇数頁についての読取位置の移動速度をｋＶ（０＜ｋ＜１）とすると、奇数頁の読取位置に対する相対移動速度は（１−ｋ）×Ｖとなる。そこで、奇数頁については、デジタルズーム処理部４２１は、副走査方向に（１−ｋ）倍のデジタルズーム処理を行えば、等倍画像が得られる。
【００４８】
一方、偶数頁についての読取位置の移動速度が、奇数頁と同一（向きは逆）とすると、相対移動速度は（１＋ｋ）×Ｖとなる。よって、偶数頁については、デジタルズーム処理部４２１は、副走査方向に（１＋ｋ）倍のデジタルズーム処理を行えばよい。
【００４９】
また、装置によっては、デジタル拡大処理をおこなうとパフォーマンスが悪化することがある。そのような場合には、偶数頁の相対移動速度（１＋ｋ）Ｖにおいて等倍画像が得られるように、原稿搬送速度及び主走査方向の走査速度が設定されていればよい。そして、奇数頁については、デジタルズーム処理部４２１が副走査方向に（１−ｋ）／（１＋ｋ）倍のデジタル縮小を行うことで、等倍画像が得られる。
【００５０】
なお、読取位置の移動速度は、１枚の原稿の先端が読取位置に入ってから後端が通過するまでにかかる時間中の移動距離がＡ−Ｂ間の距離以下であるように設定される。例えば、原稿搬送装置が搬送可能な原稿の最大サイズに合わせて、読取位置の移動速度が設定されていてもよいし、原稿のサイズを検知するセンサを設けて、原稿が読取位置に達する前に原稿の副走査方向の大きさを検知し、これに基づいて移動速度が設定されるようになっていてもよい。
【図面の簡単な説明】
【００５１】
【図１】画像読取装置１の要部構成を示す正面図。
【図２】画像読取装置１の要部構成を示すブロック図。
【図３】黒筋検知の判断対象となる走査ラインＡ〜Ｃの位置を示す図面。
【符号の説明】
【００５２】
１      画像読取装置
２０    画像読取部
３      原稿搬送装置
５      黒筋検出部
６      画像補正部
７３    表示部
【図１】
2009267499.tif 000003
【図２】
2009267499.tif 000004
【図３】
2009267499.tif 000005